【手続補正書】
【提出日】平成20年8月6日(2008.8.6)
【手続補正１】
【補正対象書類名】明細書
【補正対象項目名】特許請求の範囲
【補正方法】変更
【補正の内容】
【特許請求の範囲】
【請求項１】  ＦＲＰ製の外殻の内部を隔壁により仕切って多数の部屋を形成し、上部の部屋には、少なくとも水洗トイレ、手洗い器を設けた空間を形成し、下部の部屋には、これらの設備から排出される汚水を溜める沈殿槽を設け、さらに前記上部の部屋及び前記下部の部屋と隣接して前記汚水を生物処理する合併処理浄化槽を設置して前記汚水を処理できるようにしたことを特徴とする可搬式の合併処理浄化槽付き仮設ハウス。
【請求項２】  前記ＦＲＰ製の外殻の外部には前記汚水の処理設備を含む各種負荷電源に電力を供給する自家発電設備を取り付けたことを特徴とする請求項１に記載の可搬式の合併処理浄化槽付き仮設ハウス。
【請求項３】  請求項２に記載の可搬式の合併処理浄化槽付き仮設ハウスであって、前記自家発電設備が太陽光発電設備または風力発電設備のうちの少なくとも何れか一つから構成されることを特徴とする可搬式の合併処理浄化槽付き仮設ハウス。
【請求項４】  請求項１から請求項３のうちの何れか１項に記載の可搬式の合併処理浄化槽付き仮設ハウスであって、前記外殻に他の場所への移動が容易となる可搬手段を設けたことを特徴とする可搬式の合併処理浄化槽付き仮設ハウス。
【請求項５】  請求項１から請求項４のうちの何れか１項に記載の可搬式の合併処理浄化槽付き仮設ハウスを公衆便所用に使用することを特徴とする可搬式の合併処理浄化槽付き仮設ハウス。
【請求項６】  請求項１から請求項４のうちの何れか１項に記載の可搬式の合併処理浄化槽付き仮設ハウスに台所、寝室、浴室等を設けて住居として使用することを特徴とする可搬式の合併処理浄化槽付き仮設ハウス。
【手続補正２】
【補正対象書類名】明細書
【補正対象項目名】０００４
【補正方法】変更
【補正の内容】
【０００４】
本発明は、前記課題に鑑みてなされたものであり、その目的は、水洗トイレ及び手洗い器等から排出される汚水を生物処理により浄化する浄化設備及び自家発電設備とを備え、設置する場所によっては、近隣の下水道設備や電力設備も利用できる可搬式の合併処理浄化槽付き仮設ハウスを提供することにある。
【手続補正３】
【補正対象書類名】明細書
【補正対象項目名】０００５
【補正方法】変更
【補正の内容】
【０００５】
【課題を解決するための手段】
前記課題を解決するためになされた請求項１に係る可搬式の合併処理浄化槽付き仮設ハウスは、ＦＲＰ製の外殻の内部を隔壁により仕切って多数の部屋を形成し、上部の部屋には、少なくとも水洗トイレ、手洗い器を設けた空間を形成し、下部の部屋には、これらの設備から排出される汚水を溜める沈殿槽を設け、さらに前記上部の部屋及び前記下部の部屋と隣接して前記汚水を生物処理する合併処理浄化槽を設置して前記汚水を処理できるようにしたことを特徴とするものである。また、請求項２に係る可搬式の合併処理浄化槽付き仮設ハウスは、前記ＦＲＰ製の外殻の外部には前記汚水の処理設備を含む各種負荷電源に電力を供給する自家発電設備を取り付けたことを特徴とするものである。尚、上記可搬式とは、車両やヘリコプター等の輸送手段で輸送できる大きさという意味である。
【手続補正４】
【補正対象書類名】明細書
【補正対象項目名】０００６
【補正方法】変更
【補正の内容】
【０００６】
請求項１に記載の発明によると、ＦＲＰ製の外殻の内部を隔壁により仕切って多数の部屋を形成し、上部の部屋には、少なくとも水洗トイレ、手洗い器を設けた空間を形成し、下部の部屋には、これらの設備から排出される汚水を溜める沈殿槽を設け、さらに前記上部の部屋及び前記下部の部屋と隣接して前記汚水を生物処理する合併処理浄化槽を設置して前記汚水を処理できるようにしたことにより、また、請求項２に記載の発明によると、前記ＦＲＰ製の外殻の外部には前記汚水の処理設備を含む各種負荷電源に電力を供給する自家発電設備を取り付けたことにより、以下の作用・効果が得られる。
（１）合併処理浄化槽を設けた仮設ハウスとしたことにより、汚水を浄化することができるので仮設ハウスの周囲に悪臭を出すこともなく環境衛生的にも多くの利点がある。
（２）自家発電設備を取付けた仮設ハウスとしたことにより、電気のない場所でも仮設ハウスを設置することができる。尚、水洗トイレ、手洗い器の水としては、近隣の水道設備や涌き水、雨水等を使用することができる。
【手続補正５】
【補正対象書類名】明細書
【補正対象項目名】０００７
【補正方法】変更
【補正の内容】
【０００７】
請求項３に係る可搬式の合併処理浄化槽付き仮設ハウスは、請求項２に記載の可搬式の合併処理浄化槽付き仮設ハウスであって、前記自家発電設備が太陽光発電設備または風力発電設備のうちの少なくとも何れか一つから構成されることを特徴とするものである。
【手続補正６】
【補正対象書類名】明細書
【補正対象項目名】０００８
【補正方法】変更
【補正の内容】
【０００８】
請求項３に記載の発明によると、可搬式の合併処理浄化槽付き仮設ハウスに太陽光発電設備または風力発電設備のうちの少なくとも何れか一つから構成される自家発電設備を設けることにより、以下の作用・効果が得られる。
（１）自然エネルギーを利用するため環境を汚すことがない。
（２）必要な電力量に応じて、太陽光発電設備や風力発電設備またはこれらの組み合わせにより電力を供給することができる。尚、昼間の発電で余った電力は蓄電池等に貯蔵すれば夜間電力として利用できる。
（３）積雪がある冬季等で仮設ハウスを長期間使用しない場合には、自家発電設備を仮設ハウス内に収納できる。
【手続補正７】
【補正対象書類名】明細書
【補正対象項目名】０００９
【補正方法】変更
【補正の内容】
【０００９】
請求項４に係る可搬式の合併処理浄化槽付き仮設ハウスは、請求項１から請求項３のうちの何れか１項に記載の可搬式の合併処理浄化槽付き仮設ハウスであって、前記外殻に他の場所への移動が容易となる可搬手段を設けたことを特徴とするものである。
【手続補正８】
【補正対象書類名】明細書
【補正対象項目名】００１０
【補正方法】変更
【補正の内容】
【００１０】
請求項４に記載の発明によると、可搬式の合併処理浄化槽付き仮設ハウスの外殻に他の場所への移動が容易となる可搬手段を設けたことにより、可搬式の合併処理浄化槽付き仮設ハウスの搬入・搬出を速やかに行うことができる。従って、従来のように河川敷に設置した場合であっても、大雨で洪水が発生し河川が氾濫して仮設ハウスが流される前に高台に移動することができるので仮設ハウス内の汚水により河川を汚染することがない。
【手続補正９】
【補正対象書類名】明細書
【補正対象項目名】００１１
【補正方法】変更
【補正の内容】
【００１１】
請求項５に係る可搬式の合併処理浄化槽付き仮設ハウスは、請求項１から請求項４のうちの何れか１項に記載の可搬式の合併処理浄化槽付き仮設ハウスを公衆便所用に使用することを特徴とするものである。
【手続補正１０】
【補正対象書類名】明細書
【補正対象項目名】００１２
【補正方法】変更
【補正の内容】
【００１２】
請求項５に記載の発明によると、請求項１から請求項４のうちの何れか１項に記載の可搬式の合併処理浄化槽付き仮設ハウスを公衆便所用に使用することにより、周囲に悪臭を発生せず、かつ、河川を汚染することがない。また、自由に必要な場所へ可搬式の合併処理浄化槽付き仮設ハウスを移動させることができる。
【手続補正１１】
【補正対象書類名】明細書
【補正対象項目名】００１３
【補正方法】変更
【補正の内容】
【００１３】
請求項６に係る可搬式の合併処理浄化槽付き仮設ハウスは、請求項１から請求項４のうちの何れか１項に記載の可搬式の合併処理浄化槽付き仮設ハウスに台所、寝室、浴室等を設けて住居として使用することを特徴とするものである。
【手続補正１２】
【補正対象書類名】明細書
【補正対象項目名】００１４
【補正方法】変更
【補正の内容】
【００１４】
請求項６に記載の発明によると、請求項１から請求項４のうちの何れか１項に記載の可搬式の合併処理浄化槽付き仮設ハウスに台所、寝室、浴室等を設けて住居として使用することにより、自由に好きな場所へ居住空間を移動させることができる。
【手続補正１３】
【補正対象書類名】明細書
【補正対象項目名】００３７
【補正方法】変更
【補正の内容】
【００３７】
【発明の効果】
１．請求項1に記載の発明によれば、ＦＲＰ製の外殻の内部を隔壁により仕切って多数の部屋を形成し、上部の部屋には、少なくとも水洗トイレ、手洗い器を設けた空間を形成し、下部の部屋には、これらの設備から排出される汚水を溜める沈殿槽を設け、さらに前記上部の部屋及び前記下部の部屋と隣接して前記汚水を生物処理する合併処理浄化槽を設置して前記汚水を処理できるようにしたことにより、また、請求項２に記載の発明によれば、前記ＦＲＰ製の外殻の外部には前記汚水の処理設備を含む各種負荷電源に電力を供給する自家発電設備を取り付けたことにより、以下の作用・効果が得られる。
（１）合併処理浄化槽を設けた仮設ハウスとしたことにより、汚水を浄化することができるので仮設ハウスの周囲に悪臭を出すこともなく環境衛生的にも多くの利点がある。
（２）自家発電設備を取付けた仮設ハウスとしたことにより、電気のない場所でも仮設ハウスを設置することができる。尚、水洗トイレ、手洗い器の水としては、近隣の水道設備や涌き水、雨水等を使用することができる。
２．請求項３に記載の発明によれば、可搬式の合併処理浄化槽付き仮設ハウスに太陽光発電設備または風力発電設備のうちの少なくとも何れか一つから構成される自家発電設備を設けることにより、以下の作用・効果が得られる。
（１）自然エネルギーを利用するため環境を汚すことがない。
（２）必要な電力量に応じて、太陽光発電設備や風力発電設備またはこれらの組み合わせにより電力を供給することができる。尚、昼間の発電で余った電力は蓄電池等に貯蔵すれば夜間電力として利用できる。
（３）積雪がある冬季等で仮設ハウスを長期間使用しない場合には、自家発電設備を仮設ハウス内に収納できる。
３．請求項４に記載の発明によれば、可搬式の合併処理浄化槽付き仮設ハウスの外殻に他の場所への移動が容易となる可搬手段を設けたことにより、可搬式の合併処理浄化槽付き仮設ハウスの搬入・搬出を速やかに行うことができる。従って、従来のように河川敷に設置した場合であっても、大雨で洪水が発生し河川が氾濫して仮設ハウスが流される前に高台に移動することができるので仮設ハウス内の汚水により河川を汚染することがない。
４．請求項５に記載の発明によれば、請求項１から請求項４のうちの何れか１項に記載の可搬式の合併処理浄化槽付き仮設ハウスを公衆便所用に使用することにより、周囲に悪臭を発生せず、かつ、河川を汚染することがない。また、自由に必要な場所へ可搬式の合併処理浄化槽付き仮設ハウスを移動させることができる。
５．請求項６に記載の発明によれば、請求項１から請求項４のうちの何れか１項に記載の可搬式の合併処理浄化槽付き仮設ハウスに台所、寝室、浴室等を設けて住居として使用することにより、自由に好きな場所へ居住空間を移動させることができる。